(57)【要約】【課題】  異なる種類の二次元コードが印字された紙媒体が混在する環境において、その原稿を複写する際には、埋め込まれた情報に反することなく動作可能な画像処理装置およびその制御方法ならびにプログラムを提供すること。【解決手段】  原稿を複写する際には、原稿に印字されている可能性があるすべての種類の二次元コードに対して検出、復号処理を実施し、必要なセキュリティーレベルが確保された原稿であれば複写ができるようにする。【選択図】  図１
2013009122.tif 000002
【特許請求の範囲】
【請求項１】
原稿をスキャンして画像データを生成するスキャン処理制御手段（０６０１）と、
前記得られた画像データを記録紙にプリントするプリント処理制御手段（０６０５）と、
前記スキャン処理制御手段（０６０１）により得られた画像データに含まれる二次元コードを検出する二次元コード検出手段（０６０３）と、
前記検出された二次元コードを復号する二次元コード復号手段（０６０４）と、
前記復号結果に応じて前記画像データをプリントするか、あるいは前記画像データを破棄しプリントを中止する画像処理装置（０１０１）であって、
前記二次元コード検出手段（０６０３）による二次元コード検出結果と、前記二次元コード復号手段（０６０４）による二次元コード復号結果に応じてプリント処理を継続するか中止するかを決定するプリント処理継続判断テーブル（図１０）と、
前記プリント処理継続判断テーブルの判断結果に応じて前記プリント処理制御手段（０６０５）により前記画像データを記録紙にプリントするか、前記画像データを破棄しプリントを中止するかを制御するセキュアモード動作制御手段（０６０６）、
を有することを特徴とする画像処理装置。
【請求項２】
前記スキャン処理制御手段（０６０１）により得られた画像データに含まれる第一の二次元コードを検出する二次元コード検出手段（０６０３）と、
前記検出された第一の二次元コードを復号する二次元コード復号手段（０６０４）と、
前記スキャン処理制御手段（０６０１）により得られた画像データに含まれる第二の二次元コードを検出する二次元コード検出手段（０６０３）と、
前記検出された第二の二次元コードを復号する二次元コード復号手段（０６０４）と、
前記プリント処理継続判断テーブルは、前記二次元コード検出手段（０６０３）により検出された第一の二次元コードと第二の二次元コードの検出結果と、前記二次元コード復号手段（０６０４）により復号された第一の二次元コードと第二の二次元コードの復号結果に応じてプリント処理を継続するか中止するかを決定する（図１０）、
ことを特徴とする請求項１に記載の画像処理装置。
【請求項３】
二次元コード画像を生成する二次元コード生成手段（０６０８）と、
前記生成した二次元コードを前記画像データに合成する画像合成手段（０６０２）と、
前記プリント処理継続判断テーブルによりプリント処理を継続と判断した場合に、前記第二の二次元コードの復号結果から第一の二次元コード画像を前記二次元コード生成手段（０６０８）により生成し、生成した二次元コード画像を前記画像合成手段（０６０２）により前記画像データに合成するかどうかを判断する二次元コード埋め込み判断テーブル（図１１）と、
前記二次元コード埋め込み判断テーブルの判断結果に応じて、前記画像データに前記第二の二次元コードの復号結果から生成した第一の二次元コード画像を合成するかしないかを制御する二次元コード埋め込み制御手段（０６０７）、
を有することを特徴とする請求項２に記載の画像処理装置。
【請求項４】
前記第一の二次元コードとはＱＲコードであり、
前記第二の二次元コードとはＱＲコード以外の二次元コードである、
ことを特徴とする請求項２または請求項３に記載の画像処理装置。
【請求項５】
原稿をスキャンして画像データを生成するスキャン処理制御工程（０６０１）と、
前記得られた画像データを記録紙にプリントするプリント処理制御工程（０６０５）と、
前記スキャン処理制御工程（０６０１）により得られた画像データに含まれる二次元コードを検出する二次元コード検出工程（０６０３）と、
前記検出された二次元コードを復号する二次元コード復号工程（０６０４）と、
前記復号結果に応じて前記画像データをプリントするか、あるいは前記画像データを破棄しプリントを中止する画像処理装置（０１０１）であって、
前記二次元コード検出工程（０６０３）による二次元コード検出結果と、前記二次元コード復号工程（０６０４）による二次元コード復号結果に応じてプリント処理を継続するか中止するかを決定するプリント処理継続判断テーブル（図１０）と、
前記プリント処理継続判断テーブルの判断結果に応じて前記プリント処理制御工程（０６０５）により前記画像データを記録紙にプリントするか、前記画像データを破棄しプリントを中止するかを制御するセキュアモード動作制御工程（０６０６）、
を有することを特徴とする画像処理方法。
【請求項６】
前記スキャン処理制御工程（０６０１）により得られた画像データに含まれる第一の二次元コードを検出する二次元コード検出工程（０６０３）と、
前記検出された第一の二次元コードを復号する二次元コード復号工程（０６０４）と、
前記スキャン処理制御工程（０６０１）により得られた画像データに含まれる第二の二次元コードを検出する二次元コード検出工程（０６０３）と、
前記検出された第二の二次元コードを復号する二次元コード復号工程（０６０４）と、
前記プリント処理継続判断テーブルは、前記二次元コード検出工程（０６０３）により検出された第一の二次元コードと第二の二次元コードの検出結果と、前記二次元コード復号工程（０６０４）により復号された第一の二次元コードと第二の二次元コードの復号結果に応じてプリント処理を継続するか中止するかを決定する（図１０）、
ことを特徴とする請求項５に記載の画像処理方法。
【請求項７】
二次元コード画像を生成する二次元コード生成工程（０６０８）と、
前記生成した二次元コードを前記画像データに合成する画像合成工程（０６０２）と、
前記プリント処理継続判断テーブルによりプリント処理を継続と判断した場合に、前記第二の二次元コードの復号結果から第一の二次元コード画像を前記二次元コード生成工程（０６０８）により生成し、生成した二次元コード画像を前記画像合成工程（０６０２）により前記画像データに合成するかどうかを判断する二次元コード埋め込み判断テーブル（図１１）と、
前記二次元コード埋め込み判断テーブルの判断結果に応じて、前記画像データに前記第二の二次元コードの復号結果から生成した第一の二次元コード画像を合成するかしないかを制御する二次元コード埋め込み制御工程（０６０７）、
を有することを特徴とする請求項６に記載の画像処理方法。
【請求項８】
前記第一の二次元コードとはＱＲコードであり、
前記第二の二次元コードとはＱＲコード以外の二次元コードである、
ことを特徴とする請求項６または請求項７に記載の画像処理方法。
【発明の詳細な説明】
【技術分野】
【０００１】
本発明は、種類の異なる二次元コードが印字された原稿を扱う画像処理装置に関する。
【背景技術】
【０００２】
近年、画像処理装置の普及にともない、原稿の不正複写問題が増大している。この課題に対処するために、従来様々な情報漏洩の対策が検討されている。この対策の一例として、既知の電子透かしや二次元コードなどの情報埋め込み技術を用いて、印刷時、紙媒体に情報を画像として付加し、コピーを禁止する複写制御情報を埋め込むシステムが提案されている（特許文献１）。
【０００３】
このシステムでは、画像処理装置で複写を実行する際に、読み取った原稿から前述した複写制御情報を抽出する事によってコピーの可否情報を受け、それによってコピーの継続や中止を制御することが可能となる。しかしこれらの二次元コードは各社独自のアルゴリズムにより開発がすすめられた結果、あるメーカーの画像処理装置により紙媒体に印字した二次元コードは、そのメーカーの画像処理装置でないと二次元コードを復号化する事が出来ない。そこで、各社共通の符号化技術として、ＱＲコードを用いる事が考えられている。
【０００４】
一方で、複写禁止という複写制御情報がＱＲコードで付加された原稿を複写する場合、悪意のあるユーザーはそのＱＲコードを塗りつぶす（あるいはちぎりとる）ことにより、画像処理装置ではＱＲコードを検知することができないため、不正に複写ができてしまう。これを回避するために、原稿からＱＲコードが検知できなかった場合には、複写禁止として扱うセキュアモードという機能が実現されている。
【先行技術文献】
【特許文献】
【０００５】
【特許文献１】特開２００３−２８０４６９号公報
【発明の概要】
【発明が解決しようとする課題】
【０００６】
このセキュアモードで運用されている画像処理装置は、すべての紙媒体にＱＲコードが印字された環境においては、悪意のあるユーザーによる複写を抑制することができるため有効な機能であるが、すでに各社独自のアルゴリズムにより二次元コードが印字された紙媒体がある場合には、複写制御情報に複写許可と埋め込まれている場合にも、複写ができないという状況に陥ってしまう。
【課題を解決するための手段】
【０００７】
原稿をスキャンして画像データを生成するスキャン処理制御手段（０６０１）と、
前記得られた画像データを記録紙にプリントするプリント処理制御手段（０６０５）と、
前記スキャン処理制御手段（０６０１）により得られた画像データに含まれる二次元コードを検出する二次元コード検出手段（０６０３）と、
前記検出された二次元コードを復号する二次元コード復号手段（０６０４）と、
前記復号結果に応じて前記画像データをプリントするか、あるいは前記画像データを破棄しプリントを中止する画像処理装置（０１０１）であって、
前記二次元コード検出手段（０６０３）による二次元コード検出結果と、前記二次元コード復号手段（０６０４）による二次元コード復号結果に応じてプリント処理を継続するか中止するかを決定するプリント処理継続判断テーブル（図１０）と、
前記プリント処理継続判断テーブルの判断結果に応じて前記プリント処理制御手段（０６０５）により前記画像データを記録紙にプリントするか、前記画像データを破棄しプリントを中止するかを制御するセキュアモード動作制御手段（０６０６）、
を有することを特徴とする画像処理装置。
【発明の効果】
【０００８】
本発明によれば、セキュアモードで運用されている画像処理装置においても、ＱＲコードと同等なセキュリティーが確保された原稿であれば、ＱＲコードの有無に関わらず、複写許可と判断された原稿は、複写することが可能となる。
【図面の簡単な説明】
【０００９】
【図１】画像処理装置のハードウェア構成を示すブロック図である。
【図２】ＴＬコードとＱＲコードが埋め込まれた原稿を示す図である。
【図３】ＴＬコードによる情報埋め込みの一例を示す図である。
【図４】入力画像に埋め込まれているＴＬコードを抽出するときの、画像処理装置の処理の流れを示すフローチャートである。
【図５】入力画像に埋め込まれているＱＲコードを抽出するときの、画像処理装置の処理の流れを示すフローチャートである。
【図６】画像処理装置のソフトウェア構成を示すブロック図である。
【図７】セキュアモードに対する画像処理装置の処理の流れを示すフローチャートである。
【図８】プリント処理の継続を決定するためのプリント処理継続判断テーブルである。
【図９】セキュアモードに対する画像処理装置の処理の流れを示す第２のフローチャートである。
【図１０】プリント処理の継続を決定するための第２のプリント処理継続判断テーブルである。
【図１１】原稿に埋め込まれていたＴＬコードを新たにＱＲコードとして埋め込む必要があるかを示した二次元コード埋め込み判断テーブルである。
【図１２】セキュアモードで動作中の画像処理装置に対してコピーを行った場合の原稿と複写結果を表した図である。
【発明を実施するための形態】
【００１０】
［実施例１］
図１は、本発明の実施例１に係るシステムのハードウェア構成を示す図である。画像処理装置０１０１は、中央演算装置（以下、ＣＰＵ）０１０２、タッチパネルディスプレイ０１０３、スキャナ０１０４、プリンタ０１０７、メモリ０１０５、補助記憶装置０１０６によって構成され、それぞれは内部バス１０７で接続されている。
【００１１】
ＣＰＵ０１０２は、メモリ０１０５に展開されたプログラムの実行や、様々な装置の制御を行う。タッチパネルディスプレイ０１０３は、ディスプレイでユーザーに対する情報の提供を行うと共に、ユーザーのキー入力を受け付ける。スキャナ０１０４は、原稿の画像を光源で照射し、反射画像をレンズで固体撮像素子上に結像する。固体撮像素子は、所定の解像度（例えば６００ｄｐｉ）及び所定の濃度レベル（例えば８ビット）の画像読み取り信号を生成し、画像読み取り信号からラスターデータよりなる画像データを構成する。プリンタ０１０７は、メモリ０１０５上に展開された画像データを記録紙に印刷する。メモリ０１０５は、ＣＰＵ１０１が実行するプログラムの展開場所であり、また、プログラムで使用するデータを保持することが出来る。補助記憶装置０１０６は、ハードディスクドライブなどの大容量記憶装置で構成され、メモリ０１０５上に展開できなかった情報を保存する。また、画像処理装置０１０１で実行するアプリケーションプログラムを保持する。
【００１２】
以下の説明において、スキャン画像からの情報抽出処理は、画像処理装置０１０１により行われる。画像処理装置０１０１は、各情報抽出方式を用いて、スキャナ０１０４が読み取った画像から情報を抽出する。ここで、画像処理装置０１０１は、図１に示すように内部にＣＰＵ０１０２やメモリ０１０５を有しており、さらにＣＰＵ０１０２はメモリ０１０５内部に格納されているプログラムを実行したり、保持しているデータを読み出したりすることによって、以下に例示する処理を実行するものである。
【００１３】
次に、本実施形態で利用する情報埋め込み方式に対応する情報抽出方法について説明する。図２は、本実施形態で利用する情報埋め込み方式の一例を表しており、各社独自に開発した二次元コードの一例として（ａ）ＴＬコード、各社共通の二次元コードの一例として（ｂ）ＱＲコードを表している。
【００１４】
（ａ）ＴＬコード
ＴＬコードは、原稿全体に複写制御情報をドットとして印字する。具体的には、図３に示すように原稿にひかれた仮想グリッド０３０２の交差点付近にドット０３０１を印刷し、交差点からのドット０３０１の変位により情報を埋め込む。
【００１５】
図４は、ＴＬコードにより、入力画像中に埋め込まれている複写制御情報を抽出する処理の流れを示すフローチャートである。
【００１６】
ステップＳ０４０１で画像処理装置０１０１は、スキャナ０１０４が読み取った画像を入力画像として、入力画像を走査して画像中に含まれるドットを検出する。ステップＳ０４０２で画像処理装置０１０１は、検出したすべてのドットの絶対座標、粒形サイズおよび濃度などのドット情報を算出する。ステップＳ０４０３で画像処理装置０１０１は、情報が埋め込まれたドットのみを検出するために、算出したドット情報に基づき、検出したドットから埋め込み情報に関わる情報ドット以外のドットを削除するハーフトーン除去処理を行う。ステップＳ０４０４で画像処理装置０１０１は、グリッドを再現するために、検出した情報ドットと近隣のドットとの距離を計測し、グリッド間隔を算出する。また、画像処理装置０１０１は、すべての情報ドットに対して近隣の情報ドットまでの角度を測定し、グリッドの回転角度も算出する。画像処理装置０１０１は、グリッド間隔、回転角度を求めた後、グリッドの交差点に対する情報ドットの相対的位置を計測する。ステップＳ０４０５で画像処理装置０１０１は、各データ領域の位置とサイズを算出するために、反復されて埋め込まれているデータ領域の繰り返しサイズを決定する。ステップＳ０４０６で画像処理装置０１０１は、繰り返し埋め込まれたデータ領域にある情報ドットの位置とサイズを算出し、ステップＳ０４０７で埋め込まれたデータを抽出する。最後にステップＳ０４０８で画像処理装置０１０１は、抽出したデータにエラー訂正処理を行い、埋め込まれたデータ（ここでは、複写制御情報）を取得する。
【００１７】
（ｂ）ＱＲコード
図５は、ＱＲコードにより、入力画像中に埋め込まれている複写制御情報を抽出する処理の流れを示すフローチャートである。
【００１８】
ステップＳ０５０１で画像処理装置０１０１は、スキャナ０１０４が読み取った画像を入力画像として、入力画像を走査して画像中に含まれるＱＲコードの位置を検出する。ＱＲコードの位置検出は、ＱＲコードの４隅のうち、３隅に配置される同一の切り出しシンボルのパターン検知を利用して行う。ステップＳ０５０２で画像処理装置０１０１は、切り出しシンボルに隣接する形式情報を復元し、シンボルに適用されている誤り訂正レベルおよびマスクパターンを取得する。ステップＳ０５０３で画像処理装置０１０１は、取得したマスクパターンを利用して、符号化領域ビットパターンをＸＯＲ演算することによって、マスク処理を解除する。ステップＳ０５０４で画像処理装置０１０１は、モデルに対応する配置規則に従いシンボルキャラクタを読み取り、メッセージのデータおよび誤り訂正コードを復元する。画像処理装置０１０１は、復元されたデータに対して、復元した誤り訂正コードを適用し、復元されたデータに誤りがあるかどうかを判定し（ステップＳ０５０５）、誤りがある場合はステップＳ０５０６でその誤りを訂正する。ステップＳ０５０７で画像処理装置０１０１は、誤り訂正されたデータに対して誤り検出符号を適用して、当該データに誤りがないか否かを判定し、誤りがない場合は抽出データ（ここでは、複写制御情報）の復号化が成功したと判断し（ステップＳ０５０８）、当該データを出力する。一方、誤りがある場合には抽出データの復号が失敗したと判断し（Ｓ０５０９）、当該データを破棄して処理を終了する。
【００１９】
次に、ＱＲコードを用いた複写制御方式とし実施されているセキュアモードについて、図６、図７、図８を用いて説明する。
【００２０】
セキュアモードとは、ＱＲコードにより複写制御情報として「複写禁止」と埋め込まれた原稿に対して、悪意のあるユーザーがそのＱＲコード部分を塗りつぶし（あるいはちぎりとり）、複写制御情報を画像処理装置０１０１で検出できなくすることによって、不正にコピーを行うことを抑止するために実施された機能である。
【００２１】
画像処理装置０１０１は、ユーザーによりコピーボタンが押下されると、ステップＳ０７０１において、スキャン処理制御手段０６０１によって原稿をスキャナ０１０４によりスキャンし、読み取った画像データにＱＲコードが検出できるかどうかを二次元コード検出手段０６０３で検出する（ステップＳ０７０２）。ＱＲコードが検出できた場合はステップＳ０７０４に進む。ステップＳ０７０４では、二次元コード復号手段０６０４で検出されたＱＲコードを復号する。
【００２２】
次に、ステップＳ０７０５において、ＱＲコードの復号が成功したかどうかを判断し、成功していた場合にはステップＳ０７０６において復号した複写制御情報が、複写許可か複写禁止のどちらであるかによって、次の処理を切り替える。複写許可であれば、ステップＳ０７０９に進み、変数であるＱＲコード解析結果に「複写許可」と設定し、ステップＳ０７０５においてＱＲコードの復号に失敗した場合あるいはステップＳ０７０６において複写制御情報が複写許可以外であった場合には、ステップＳ０７０８に進み、変数であるＱＲコード解析結果に「複写禁止」と設定する。一方、ステップＳ０７０３において、ＱＲコードが検出できなかったと判断した場合はステップＳ０７０７に進み、変数であるＱＲコード解析結果に「埋め込み無し」と設定する。ステップＳ０７１０では、変数であるＱＲコード解析結果に応じて、セキュアモード動作制御手段０６０６により、図８に示すプリント処理継続判断テーブルに従ってプリント処理の継続と中止を決定する。図８において、０８０１はステップＳ０７０７／ステップＳ０７０８／ステップＳ０７０９により設定したＱＲコード解析結果であり、０８０２は画像処理装置０１０１がセキュアモードで動作しているか否かを表している。例として、ＱＲコード解析結果が「埋め込み無し」で、画像処理装置０１０１がセキュアモードで動作している場合には、プリント動作は中止（０８０６）となる。ステップＳ０７１０においてプリント処理を継続すると判断した場合には、プリント処理制御手段０６０５によってプリンタ０１０７は、メモリ０１０５上に展開された画像データを記録紙に印刷して、すべての処理を終了する。ステップＳ０７１０においてプリント処理を中止すると判断した場合には、不正なコピー要求であると判断し、メモリ０１０５上に展開された画像データを破棄、プリントせずに処理を終了する。
【００２３】
以上のように、画像処理装置０１０１がセキュアモードで動作中の場合は、ＱＲコードが埋め込まれていない原稿はコピーを行うことができないように制御することにより、悪意のあるユーザーからの不正コピーを抑止することができる。
【００２４】
しかし、上述したセキュアモードによる複写制御方式では、複写制御情報に複写許可としたＴＬコードが埋め込まれた原稿に対しても、ＱＲコードが埋め込まれていないという理由から、複写禁止の原稿として扱われてしまう。本来、セキュアモードは悪意のあるユーザーに対する不正コピーを抑止することが目的であるため、ＱＲコードと同等のセキュリティーが確保されたＴＬコードの埋め込まれた原稿に対しては、ＱＲコードが埋め込まれていないという理由でコピーを抑止することは適当ではない。そこで、図９、図１０、図１１を用いて、ＱＲコードとＴＬコードのいずれか（または両方）が埋め込まれた原稿に対するセキュアモードによる複写制御方式について説明する。
【００２５】
図９に示す複写制御方式が、上述した図７に示す複写制御方式と大きく異なる点は、原稿をスキャナ０１０４により読み取った画像データから、ＱＲコードとＴＬコードの両方を検出して、複写制御を行う点である。
【００２６】
ＱＲコードの検出およびその復号処理であるステップＳ０９０１からステップＳ０９０９までは、上述したステップＳ０７０１からステップＳ０７０９までの処理と同じであるため、説明を省略する。次に、ＴＬコードの検出およびその復号処理であるステップＳ０９１０からステップＳ０９１７までは、ＱＲコードの検出およびその復号処理と同じであるため、説明を省略する。
【００２７】
次にステップＳ０９１８では、変数であるＱＲコード解析結果およびＴＬコード解析結果に応じて、セキュアモード動作制御手段０６０６により、図１０に示すプリント処理継続判断テーブルに従ってプリント処理の継続と中止を決定する。図１０において、１００１はステップＳ０９０７／ステップＳ０９０８／ステップＳ０９０９により設定したＱＲコード解析結果であり、１００２はステップＳ０９１５／ステップＳ０９１６／ステップＳ０９１７により設定したＴＬコード解析結果である。１００３は画像処理装置０１０１がセキュアモードで動作しているか否かを表している。例として、ＱＲコード解析結果とＴＬコード解析結果がいずれも「埋め込み無し」で、画像処理装置０１０１がセキュアモードで動作している場合には、プリント動作は中止（１０１３）となる。
【００２８】
また別の例として、ＱＲコード解析結果は「埋め込み無し」、ＴＬコード解析結果は「複写許可」で、画像処理装置０１０１がセキュアモードで動作している場合には、プリント動作は継続（１０１４）となる。ステップＳ０９１８においてプリント処理を継続すると判断した場合には、ステップＳ０９１９へと進み、変数であるＱＲコード解析結果およびＴＬコード解析結果に応じて、二次元コード埋め込み制御手段０６０７により、図１１に示す二次元コード埋め込み判断テーブルに従って、ＴＬコードの解析結果をＱＲコードとして新たに埋め込みを行うかどうかを決定する。例として、ＱＲコード解析結果は「埋め込み無し」、ＴＬコード解析結果は「複写許可」で、画像処理装置０１０１がセキュアモードで動作している場合には、ＴＬコードの解析結果をＱＲコードとして新たに埋め込む必要がある（１１１４）として、ステップＳ０９２０に進む。また例として、ＱＲコード解析結果とＴＬコード解析結果がいずれも「複写許可」、画像処理装置０１０１がセキュアモードで動作している場合には、ＴＬコードの解析結果をＱＲコードとして新たに埋め込む必要な無い（１１１７）として、ステップＳ０９２１に進む。なお、図１１に示す「−」（例えば、１１０６など）は、この条件でステップＳ０９１９に来ることはないことを示している（図１０の「中止」に相当するため）。次に、ステップＳ０９２０では、ＴＬコード解析結果を二次元コード生成手段０６０８により、ＱＲコード画像として生成しなおし、画像処理アプリケーション０６０２を用いて、スキャナ０１０４により得られた画像データに合成し、メモリ０１０５上に展開する。次にステップＳ０９２１において、プリント処理制御手段０６０５によってプリンタ０１０７は、メモリ０１０５上に展開された画像データを記録紙に印刷して、すべての処理を終了する。ステップＳ０９１８においてプリント処理を中止すると判断した場合には、不正なコピー要求であると判断し、メモリ０１０５上に展開された画像データを破棄、プリントせずに処理を終了する。
【００２９】
図１２には、上述した図９に示す複写制御方式により、セキュアモードで動作している画像処理装置０１０１に対する、いくつかの原稿パターンについての複写結果を示す。図１２（ａ）は、ＱＲコードの埋め込みはなく、ＴＬコードで複写制御情報として複写許可と埋め込まれた原稿１２０１についての複写結果１２０２を示している。原稿１２０１にはＱＲコードは埋め込まれていないが、ＴＬコードとして複写許可が埋め込まれているため、画像処理装置０１０１がセキュアモードで動作している場合にも、ステップＳ０９１８においてプリント継続と判断され（１０１４）、かつステップＳ０９１９ではＱＲコードの埋め込みを行うと判断される（１１１４）ことから、ＴＬコードの複写制御情報（ここでは複写許可）をＱＲコードとして新たに埋め込み複写された（１２０２）ことが分かる。図１２（ｂ）は、図１２（ａ）の複写結果１２０２を原稿とした場合の複写結果１２０３を示している。原稿１２０２にはＱＲコードとＴＬコードのいずれにも複写許可が埋め込まれているため、画像処理装置０１０１がセキュアモードで動作している場合にも、ステップＳ０９１８においてプリント継続と判断され（１０１７）、かつステップＳ０９１９ではＱＲコードの埋め込みを行う必要は無いと判断される（１１１７）ことから、原稿１０２０２をそのまま複写した（１２０３）ことを表している。
【符号の説明】
【００３０】
０１０１  画像処理装置
０１０２  ＣＰＵ
０１０３  タッチパネルディスプレイ
０１０４  スキャナ
０１０５  メモリ
０１０６  補助記憶装置
０１０７  プリンタ
【図１】
2013009122.tif 000003
【図２】
2013009122.tif 000004
【図３】
2013009122.tif 000005
【図４】
2013009122.tif 000006
【図５】
2013009122.tif 000007
【図６】
2013009122.tif 000008
【図７】
2013009122.tif 000009
【図８】
2013009122.tif 000010
【図９】
2013009122.tif 000011
【図１０】
2013009122.tif 000012
【図１１】
2013009122.tif 000013
【図１２】
2013009122.tif 000014